(57)【特許請求の範囲】
【請求項１】
広域ネットワークと無線ローカルエリアネットワークとを相互接続するルータ機能を有し、前記無線ローカルエリアネットワーク上のクライアントを前記広域ネットワークに接続する接続装置であって、
前記クライアントで再生可能な音声情報を格納する音声情報格納手段と、
前記広域ネットワークのプロトコルを用いて情報のやり取りを行う前記クライアントと、前記広域ネットワーク上の他の機器との間における音声通話を実現するための通信を仲介する手段と、
前記格納されている音声情報を、前記広域ネットワークのプロトコルを利用して前記クライアントに送信する送信手段と
を備え、
前記格納されている音声情報の送信は、前記クライアントから前記他の機器に送信される発呼信号、または前記他の機器から前記クライアントに送信される被呼信号に基づいて開始されると共に、前記他の機器から前記クライアントに送信される応答信号に基づいて終了される
接続装置。
【請求項２】
前記クライアントは、音声情報をパケット通信により送受信して音声通話を実現するＩＰ電話機である請求項１記載の接続装置。
【請求項３】
前記格納されている音声情報を更新する管理クライアントを備える請求項１または２記載の接続装置。
【請求項４】
広域ネットワークと無線ローカルエリアネットワークとを相互接続するルータ機能を有する接続装置を用いて、前記無線ローカルエリアネットワーク上のクライアントを前記広域ネットワークに接続する方法であって、
前記クライアントで再生可能な音声情報を前記接続装置に格納し、
前記広域ネットワークのプロトコルを用いて情報のやり取りを行う前記クライアントと、前記広域ネットワーク上の他の機器との間における音声通話を実現するための通信を前記接続装置によって仲介し、
前記格納されている音声情報を、前記広域ネットワークのプロトコルを利用して前記接続装置から前記クライアントに送信し、
前記格納されている音声情報の送信は、前記クライアントから前記他の機器に送信される発呼信号、または前記他の機器から前記クライアントに送信される被呼信号に基づいて開始されると共に、前記他の機器から前記クライアントに送信される応答信号に基づいて終了される
方法。
【発明の詳細な説明】
【０００１】
【発明の属する技術分野】
本発明は、ＩＰ電話技術に関する。
【０００２】
【従来の技術】
従来、インターネットなどのＩＰ(Internet Protocol)ネットワーク上で音声通話を実現したＶｏＩＰ(Voice over IP)によるインターネット電話（ＩＰ電話）が利用されている。ＶｏＩＰでは、ＩＰパケットに変換された音声情報をＩＰネットワーク経由で送受信を行うことにより音声通話を実現している。このＶｏＩＰのプロトコルとしてH.323が標準化された結果、インターネットと電話回線との相互接続性も向上し、企業の内線電話や専用回線の置き換えから徐々に普及が始まっている。
【０００３】
ＩＰ電話は、音声情報の通信に約２０kbpsの通信速度を必要とし、通常のデータ通信と比べ通信回線にかける負担が大きい。この必要な通信速度を確保できない場合には、通話品質が低下する。また、ＩＰアドレスを直接入力して相手を指定してパソコンでＩＰ電話を利用する場合などを除き、端末登録などを行うゲートキーパが必要とされる。さらに、ＩＰ電話と、加入電話などの回線を接続するためには、ゲートウェイが必要とされる。よって、電話としての利便性を高めるためには、通話品質の保証やゲートキーパ，ゲートウェイなどの機器が必要となることから、ＩＰ電話の利用には、インターネットへの通常の接続サービスとは別に課金されることが多い。
【０００４】
下記文献には、ＩＰネットワークを利用したＩＰ電話システムが記載されている。
【特許文献１】
特開２００２−１２５０６９号公報
【０００５】
【発明が解決しようとする課題】
しかしながら、新たな課金が発生し全体として通信費用が高額になること、および、その課金システムをうまく構築できないことが、ＩＰ電話の普及を阻害する要因の一つとなっていた。そこで、広告料などを利用して低価格ないし無料でのサービスを提供することも検討されているが、ＩＰ電話に対する広告の提案はない。しかも、ＩＰ電話の特性上、何らかの形で広告を付加しようとすると、ＩＰ電話システムの全データが必ず広告情報を付加する特定のサーバを経由せねばならず、インターネットの基本的な構造に反するし、仮に特定のサーバを経由する構成とすると、サーバの負荷が膨大となり対応することができない。
【０００６】
本発明は、上記した問題点を解決するためになされたものであり、ＩＰ電話システムの全データを経由させて広告情報を付加する特定のサーバを設けることなく、ＩＰ電話に対する広告情報の付加を行うＩＰ電話システムを提供することを目的とする。
【０００７】
【課題を解決するための手段およびその作用・効果】
上記した課題を解決するため、本発明の接続装置は、広域ネットワークと無線ローカルエリアネットワークとを相互接続するルータ機能を有し、無線ローカルエリアネットワーク上のクライアントを広域ネットワークに接続する接続装置であって、クライアントで再生可能な音声情報を格納する音声情報格納手段と、広域ネットワークのプロトコルを用いて情報のやり取りを行うクライアントと、広域ネットワーク上の他の機器との間における音声通話を実現するための通信を仲介する手段と、格納されている音声情報を、広域ネットワークのプロトコルを利用してクライアントに送信する送信手段とを備え、格納されている音声情報の送信は、クライアントから他の機器に送信される発呼信号、または他の機器からクライアントに送信される被呼信号に基づいて開始されると共に、他の機器からクライアントに送信される応答信号に基づいて終了されることを特徴とする。
【０００８】
また、上記した課題を解決するため、本発明の方法は、広域ネットワークと無線ローカルエリアネットワークとを相互接続するルータ機能を有する接続装置を用いて、無線ローカルエリアネットワーク上のクライアントを広域ネットワークに接続する方法であって、クライアントで再生可能な音声情報を接続装置に格納し、広域ネットワークのプロトコルを用いて情報のやり取りを行うクライアントと、広域ネットワーク上の他の機器との間における音声通話を実現するための通信を接続装置によって仲介し、格納されている音声情報を、広域ネットワークのプロトコルを利用して接続装置からクライアントに送信し、格納されている音声情報の送信は、クライアントから他の機器に送信される発呼信号、または他の機器からクライアントに送信される被呼信号に基づいて開始されると共に、他の機器からクライアントに送信される応答信号に基づいて終了されることを特徴とする。
【０００９】
かかる接続装置、およびこれに対応した接続装置の制御方法によれば、アクセスポイントを提供する接続装置が、所定のタイミングにて、音声情報格納手段に格納された音声情報である広告や広報などの告知情報を、クライアントに送信する。したがって、音声情報の通信に告知情報の付加を行うことができる。なお、通信システムの全データを経由させて告知情報を付加する特定のサーバを設ける必要もない。
【００１０】
上記の構成を有する本発明の周辺機器は、以下の態様を採ることもできる。前記クライアントとしては、音声情報をパケット通信により送受信して音声通話を実現するＩＰ電話機を想定することができる。したがって、ＩＰ電話に対する告知情報の付加を行うことができる。
【００１３】
また、本発明の接続装置は、格納されている音声情報を更新する管理クライアントを備えても良い。したがって、新しい告知情報を接続装置に送信することができる。
【００１６】
【発明の実施の形態】
以下説明した本発明の構成及び作用を一層明らかにするために、以下本発明を適用した接続装置の一つとして、無線ローカルエリアネットワーク（以下、無線ＬＡＮという）に接続する接続装置を利用した無線ＩＰ電話システムについて説明する。
【００１７】
図１は、本発明の一形態である無線ＩＰ電話システムの全体構成図である。アクセスポイントを提供する接続装置としての無線ＬＡＮ基地局１０ａ，１０ｂは、クライアントである無線ＩＰ電話機２０ａ，２０ｂを接続するため、広域ネットワークであるインターネット３０にそれぞれ接続されている。無線ＬＡＮ基地局１０ａ，１０ｂは、それぞれの電波が届く範囲である無線ゾーン４０ａ，４０ｂ内の無線ＩＰ電話機と無線ＬＡＮを介して接続される。無線ゾーン４０ａ，４０ｂには、互いに重なるバンドオーバエリア５０があり、このバンドオーバエリア５０にて無線ＬＡＮ基地局１０ａ，１０ｂ間の無線チャンネル切替え（バンドオーバ）を行う。バンドオーバにより、無線ＩＰ電話機２０ａ，２０ｂは、無線ゾーン４０ａ，４０ｂ間の移動通信が可能となる。無線ＬＡＮ基地局１０ａ，１０ｂには、それぞれ管理クライアント６０ａ，６０ｂがローカルエリアネットワーク（以下、ＬＡＮという）を介して接続されている。インターネット３０には、無線ＬＡＮ基地局１０ａ，１０ｂのほか、ゲートキーパ７０、ゲートウェイ８０、ＩＰ電話機９０などが接続されている。ゲートキーパ７０は、ＩＰ電話端末の登録、接続先のアドレス解決、帯域使用申請・許可などを行う。ゲートウェイ８０は、加入電話機９５が接続された加入者電話網８５に接続され、加入電話とＩＰ電話とのプロトコル変換を行うことにより相互の通信を可能とする。無線ＩＰ電話機２０ａ，２０ｂおよびＩＰ電話機９０は、音声情報をパケット通信により送受信して音声通話を実現するものである
【００１８】
次に、無線ＬＡＮ基地局１０ａ，１０ｂの内部構造について説明する。図２は、無線ＬＡＮ基地局１０ａの内部構造を示すブロック図である。無線ＬＡＮ基地局１０ａには、インターネット３０，無線ＬＡＮ，ＬＡＮとの入出力をそれぞれ受け持つインターネットインターフェース部１００，無線ＬＡＮインターフェース部１１０，ＬＡＮインターフェース部１２０が備えられている。また、無線ＬＡＮ基地局１０ａには、各部からの情報の処理や各部の制御を行うコントローラ１３０，コントローラ１３０による処理で使用される情報を一時的に記憶するメモリ１４０，クライアントで再生可能な音声データを格納する音声情報格納部１５０も備える。コントローラ１３０は、インターネット３０と、無線ＬＡＮまたはＬＡＮとを相互接続するルータ機能を備える。無線ＬＡＮ基地局１０ｂの内部構造は、無線ＬＡＮ基地局１０ａの内部構造と同様である。
【００１９】
次に、無線ＩＰ電話機２０ａ，２０ｂの内部構造について説明する。図３は、無線ＩＰ電話機２０ａの内部構造を示すブロック図である。無線ＩＰ電話機２０ａには、コントローラ２００，メモリ２１０，無線ＬＡＮインターフェース部２２０，音声インターフェース部２３０，入力部２４０，表示部２５０などを備える。コントローラ２００は、各部からの情報の処理や各部の制御を行う。メモリ２１０は、コントローラ２００による処理で使用される情報を一時的に記憶する。無線ＬＡＮインターフェース部２２０は、無線ＬＡＮとの入出力を行う。音声インターフェース部２３０には、音声入力を行うマイクロホン２６０，音声出力を行うスピーカ２７０が接続され、音声の入出力を行う。入力部２４０は、ユーザによるダイヤル操作などを検知する。表示部２５０は、液晶ディスプレイなどに各種の情報を表示する。無線ＩＰ電話機２０ｂの内部構造は、無線ＩＰ電話機２０ａの内部構造と同様である。
【００２０】
次に、管理クライアント６０ａ，６０ｂの内部構造について説明する。図４は、管理クライアント６０ａの内部構造を示すブロック図である。管理クライアント６０ａは、コントローラ６００，メモリ６１０，ＬＡＮインターフェース部６２０，データベース保持部６３０，キーボードやマウスなどの入力部６４０，モニタなどの表示部６５０などを備える。コントローラ６００は、各部からの情報の処理や各部の制御を行う。メモリ６１０は、コントローラ６００による処理で使用される情報を一時的に記憶する。ＬＡＮインターフェース部６２０は、ＬＡＮを介して無線ＬＡＮ基地局１０ａと情報のやり取りを行う。データベース保持部６３０は、無線ＬＡＮ基地局１０ａの音声情報格納部１５０に格納される音声データをデータベースとして蓄積する。管理クライアント６０ｂの内部構造は、管理クライアント６０ａの内部構造と同様である。
【００２１】
次に、管理クライアント６０ａが、音声の広告情報である広告データを無線ＬＡＮ基地局１０ａの音声情報格納部１５０に保存する処理（以下、保存処理という）について説明する。この広告データは、アナログデータの音声データをデジタル機器でやり取りすることが可能なデジタルデータに変換したものであり、ＩＰ電話機で再生できるものである。図５は、保存処理を示したフローチャートである。右側が無線ＬＡＮ基地局１０ａのフローチャートであり、左側が管理クライアント６０ａのフローチャートである。まず、管理クライアント６０ａは、音声データをデジタルデータに変換して作成するか、または記録媒体やネットワークから読み込むなどして、広告データをメモリ６１０に準備する（ステップＳ１０）。次に、管理クライアント６０ａは、ＬＡＮを介して、準備された広告データを無線ＬＡＮ基地局１０ａに送信する（ステップＳ２０）。
【００２２】
無線ＬＡＮ基地局１０ａは、送信された広告データを受信すると（ステップＳ３０）、受信した広告データを音声情報格納部１５０に保存する（ステップＳ４０）。その際、保存日時も併せて保存する。同様に、管理クライアント６０ｂは、無線ＬＡＮ基地局１０ｂ対して保存処理を行う。
【００２３】
次に、無線ＩＰ電話機２０ａのゲートキーパ７０への登録処理について説明する。まず、無線ＩＰ電話機２０ａは、無線ＬＡＮ基地局１０ａにリンク確立要求を送信する。無線ＬＡＮ基地局１０ａは、そのリンク確立要求を受信すると、無線ＩＰ電話機２０ａにリンク確立通知を送信するとともにＩＰアドレスを割り当てる。ここで、無線ＬＡＮ基地局１０ａは、１６個までのグローバルアドレスを取り扱うことができ、基地局本体を除いた１５個のＩＰアドレスを無線ＩＰ電話機に割り当てることができる。つまり、無線ＬＡＮ基地局１０ａは、１５台までの無線ＩＰ電話機を接続することができる。次に、無線ＩＰ電話機２０ａは、無線ＬＡＮ基地局１０ａに端末ＩＤを通知する。ここで、端末ＩＤとは、端末を特定するための識別子であり、例えば、ＩＰアドレス，ＭＡＣ(Media Access Control)アドレス，予め割り当てられている電話番号などがある。端末ＩＤを受信すると、無線ＬＡＮ基地局１０ａは、ゲートキーパ７０へ、端末ＩＤと基地局を特定するための識別子である基地局ＩＤとを通知する。
【００２４】
ゲートキーパ７０は、端末ＩＤと基地局ＩＤとを受信すると、ゲートキーパ７０に備えられた端末管理テーブル７５に登録を行う。図６は、端末管理テーブル７５の一例を示す図である。端末管理テーブル７５には、端末ＩＤとしての電話番号，ＩＰアドレス，ＭＡＣアドレスと、基地局ＩＤとが関連付けられて登録されている。例えば、無線ＩＰ電話機２０ａが、無線ＬＡＮ基地局１０ａの無線ゾーン４０ａから、無線ＬＡＮ基地局１０ｂの無線ゾーン４０ｂに移動する場合には、端末管理テーブル７５のＩＰアドレスと基地局ＩＤとが更新される。この登録処理は、所定のタイミングで行われている。同様に、無線ＩＰ電話機２０ｂについても登録処理が行われる。
【００２５】
次に、無線ＩＰ電話機２０ａから無線ＩＰ電話機２０ｂへ発信する場合の音声通信について説明する。まず、無線ＩＰ電話機２０ａの入力部２４０に、接続要求をする無線ＩＰ電話機２０ｂの電話番号を入力すると、無線ＩＰ電話機２０ａは、無線ＬＡＮ基地局１０ａを介して、ゲートキーパ７０に、この電話番号を送信する。ゲートキーパ７０は、端末管理テーブル７５に基づき、この電話番号に対応する無線ＩＰ電話機２０ｂのＩＰアドレスを、無線ＬＡＮ基地局１０ａを介して、無線ＩＰ電話機２０ａに送信する。無線ＩＰ電話機２０ａは、このＩＰアドレスを受信すると、このＩＰアドレスに基づいて、無線ＬＡＮ基地局１０ａを介した無線ＩＰ電話機２０ｂとの通信の接続を確立する。
【００２６】
無線ＩＰ電話機２０ａと無線ＩＰ電話機２０ｂとの通信の接続が確立されると、無線ＩＰ電話機２０ａは、無線ＩＰ電話機２０ｂに発呼信号を送信する。無線ＩＰ電話機２０ｂは、発呼信号を受信すると、無線ＩＰ電話機２０ａに被呼信号を送信する。その後、無線ＩＰ電話機２０ｂがオンフックされることにより、無線ＩＰ電話機２０ｂは、無線ＩＰ電話機２０ａに応答信号を送信する。無線ＩＰ電話機２０ａが、応答信号を受信すると、無線ＩＰ電話機２０ａと無線ＩＰ電話機２０ｂとの音声通信の接続が確立される。以降、無線ＩＰ電話機２０ａと無線ＩＰ電話機２０ｂいずれかがオフフックされるまで、音声通信またはデータ通信が行われる。
【００２７】
ここで、無線ＩＰ電話機２０ａから無線ＩＰ電話機２０ｂへ発信する場合の無線ＬＡＮ基地局１０ａから無線ＩＰ電話機２０ａへの広告データを送信する処理（以下、広告送信処理という）について説明する。図７は、広告送信処理を示した無線ＬＡＮ基地局１０ａのフローチャートであり、図８は、無線ＩＰ電話システムにおける通信について説明するシーケンス図である。前述の無線ＩＰ電話機２０ａと無線ＩＰ電話機２０ｂとの通信の接続が確立された後において、無線ＩＰ電話機２０ａから無線ＩＰ電話機２０ｂへの発呼信号があると（ステップＳ１００）、無線ＬＡＮ基地局１０ａは、上述の保存処理により音声情報格納部１５０に保存された広告データを、無線ＩＰ電話機２０ａに送信する（ステップＳ１１０）。そして、無線ＩＰ電話機２０ｂから無線ＩＰ電話機２０ａへの応答信号がなければ（ステップＳ１２０）、広告データの送信を継続する（ステップＳ１１０）。応答信号があれば（ステップＳ１２０）、広告送信処理を終了する。なお、発呼信号がなければ（ステップＳ１００）、広告送信処理を終了する。
【００２８】
広告送信処理により、無線ＩＰ電話機２０ａは、発呼信号を送信した後から応答信号を受信するまで、無線ＬＡＮ基地局１０ａから広告データを受信して、この広告データの再生をスピーカ２７０で行う。
【００２９】
なお、無線ＩＰ電話機２０ａから無線ＩＰ電話機２０ｂへ発信する場合を記載したが、無線ＩＰ電話機２０ｂから無線ＩＰ電話機２０ａへ発信する場合には、同様に、無線ＬＡＮ基地局１０ｂから無線ＩＰ電話機２０ｂに対して広告送信処理が行われる。また、無線ＩＰ電話機２０ａの通話の相手は、無線ＩＰ電話機２０ｂとして記載したが、ＩＰ電話機９０や加入電話機９５などの無線ＩＰ電話機２０ａと通話可能な端末であれば良い。
【００３０】
以上説明した実施例によれば、無線ＩＰ電話機２０ａによる通話の際に、広告情報の付加を行うことができる。つまり、無線ＬＡＮ基地局１０ａが広告情報の付加を行うため、無線ＬＡＮ基地局１０ａと無線ＬＡＮ基地局１０ｂとの間のインターネット３０上に、特定のサーバを設けることなく、広告情報の付加を行うことができる。
【００３１】
なお、本実施例では、広告送信処理における広告データ送信の始期は、発呼信号の有無で決定されているが（ステップＳ１００）、被呼信号の有無で決定することも可能である。また、発呼側の端末への広告情報の付加ではなく、被呼側の端末への広告情報の付加を行うことも可能である。よって、より多くの利用端末への広告情報の付加を行うことができる。
【００３２】
次に、第二実施例として、無線ＬＡＮに接続する接続装置を利用したインターネットラジオシステムについて説明する。まず、図９は、第二実施例であるインターネットラジオシステムの全体構成図である。インターネットラジオシステムでは、無線ＬＡＮ基地局１０ａ，１０ｂ、管理クライアント６０ａ，６０ｂのほか、無線ＬＡＮ基地局１０ａ，１０ｂのクライアントとしてラジオ受信機２５ａ，２５ｂ、インターネット３０に接続されているラジオ放送サーバ９６により構成されている。ラジオ受信機２５ａ，２５ｂは、無線ＬＡＮとインターネット３０を介して、ラジオ放送サーバ９６から送信される音声データを受信して、ストリーミング機能により音声データを再生するインターネットラジオ受信機である。ここで、ストリーミング機能とは、音声データの全部を受信してから再生するのではなく、音声データを受信しつつ再生する機能である。無線ＬＡＮ基地局１０ａ，１０ｂは、それぞれの電波が届く範囲である無線ゾーン４０ａ，４０ｂ内のラジオ受信機と無線ＬＡＮを介して接続される。無線ゾーン４０ａ，４０ｂには、互いに重なるバンドオーバエリア５０があり、このバンドオーバエリア５０にて無線ＬＡＮ基地局１０ａ，１０ｂ間の無線チャンネル切替え（バンドオーバ）を行う。バンドオーバにより、ラジオ受信機２５ａ，２５ｂは、無線ゾーン４０ａ，４０ｂ間の移動通信が可能となる。
【００３３】
インターネットラジオシステムにおいて、管理クライアント６０ａ，６０ｂが、音声の広告情報である広告データをそれぞれ無線ＬＡＮ基地局１０ａ，１０ｂの音声情報格納部１５０に保存する処理については、第一実施例における保存処理と同様である。この広告データは、アナログデータの音声データをデジタル機器でやり取りすることが可能なデジタルデータに変換したものであり、インターネットラジオ受信機で再生できるものである。
【００３４】
ラジオ受信機２５ａが音声データの受信をする際に、無線ＬＡＮ基地局１０ａからラジオ受信機２５ａへの広告データを送信する処理（以下、ラジオ広告送信処理という）について説明する。図１０は、ラジオ広告送信処理を示した無線ＬＡＮ基地局１０ａのフローチャートである。ラジオ受信機２５ａが、無線ＬＡＮ基地局１０ａから音声データの受信を開始する場合は、まだ広告データの送信をしていないため（ステップＳ２００）、無線ＬＡＮ基地局１０ａは、上述の保存処理により音声情報格納部１５０に保存された広告データを、ラジオ受信機２５ａに送信して（ステップＳ２２０）、処理を終了する。ラジオ受信機２５ａが継続して音声データを受信している場合は、以前に広告データは送信されており（Ｓ２００）、前回の広告データの送信から所定の時間（例えば、１５分）を経過している場合は（Ｓ２１０）、再度の広告データの送信を行い（Ｓ２２０）、処理を終了する。前回の広告データの送信から所定の時間を経過していない場合は（Ｓ２１０）、処理を終了する。
【００３５】
ラジオ広告送信処理により、ラジオ受信機２５ａは、音声データの受信を開始する際と、音声データの受信を継続している場合であって前回の広告データの送信から所定の時間を経過した際とに、無線ＬＡＮ基地局１０ａから広告データを受信して、この広告データの再生を行う。なお、無線ＬＡＮ基地局１０ｂとラジオ受信機２５ｂ間のラジオ広告送信処理についても同様である。
【００３６】
以上説明した第二実施例によれば、ラジオ受信機２５ａによる音声データの受信の際に、広告情報の付加を行うことができる。つまり、無線ＬＡＮ基地局１０ａが広告情報の付加を行うため、無線ＬＡＮ基地局１０ａとラジオ放送サーバ９６との間のインターネット３０上に、特定のサーバを設けることなく、広告情報の付加を行うことができる。
【００３７】
以上、本発明の実施の形態について説明したが、本発明はこうした実施の形態に何ら限定されるものではなく、本発明の趣旨を逸脱しない範囲内において様々な形態で実施し得ることは勿論である。例えば、接続装置の接続先は、インターネット３０に限るものではなく、他の広域ネットワークでも良い。また、接続装置とクライアントとの接続は、無線ＬＡＮに限るものではなく、有線ＬＡＮや他のデータ通信手段で接続しても良い。また、広告送信処理のタイミングは、音声情報の通信の開始の際に限らず、音声情報の通信の終了の際、または、音声情報の通信の途中に行うことも可能である。また、接続装置に保存される広告データは、接続装置ごとに異なる広告データとすることも可能である。よって、アクセスポイントを提供する地域ごとに適した広告情報の付加を行うことができる。また、無線ＬＡＮ基地局１０ａに保存・送信される音声情報は、広告情報に限られるものではなく、マンションや小規模コミュニティにおける広報情報、イベント会場における案内情報なども想定できる。
【図面の簡単な説明】
【図１】  本発明の一形態である無線ＩＰ電話システムの全体構成図である。
【図２】  無線ＬＡＮ基地局１０ａの内部構造を示すブロック図である。
【図３】  無線ＩＰ電話機２０ａの内部構造を示すブロック図である。
【図４】  管理クライアント６０ａの内部構造を示すブロック図である。
【図５】  保存処理を示したフローチャートである。
【図６】  端末管理テーブル７５の一例を示す図である。
【図７】  広告送信処理を示した無線ＬＡＮ基地局１０ａのフローチャートである。
【図８】  無線ＩＰ電話システムにおける通信について説明するシーケンス図である。
【図９】  第二実施例であるインターネットラジオシステムの全体構成図である。
【図１０】  ラジオ広告送信処理を示した無線ＬＡＮ基地局１０ａのフローチャートである。
【符号の説明】
１０ａ，１０ｂ…無線ＬＡＮ基地局
２０ａ，２０ｂ…無線ＩＰ電話機
２５ａ，２５ｂ…ラジオ受信機
３０…インターネット
４０ａ，４０ｂ…無線ゾーン
５０…バンドオーバエリア
６０ａ，６０ｂ…管理クライアント
７０…ゲートキーパ
７５…端末管理テーブル
８０…ゲートウェイ
８５…加入者電話網
９０…ＩＰ電話機
９５…加入電話機
９６…ラジオ放送サーバ
１００…インターネットインターフェース部
１１０…無線ＬＡＮインターフェース部
１２０…ＬＡＮインターフェース部
１３０…コントローラ
１４０…メモリ
１５０…音声情報格納部
２００…コントローラ
２１０…メモリ
２２０…無線ＬＡＮインターフェース部
２３０…音声インターフェース部
２４０…入力部
２５０…表示部
２６０…マイクロホン
２７０…スピーカ
６００…コントローラ
６１０…メモリ
６２０…ＬＡＮインターフェース部
６３０…データベース保持部
６４０…入力部
６５０…表示部
【図１】
0003691815.tif 000002
【図２】
0003691815.tif 000003
【図３】
0003691815.tif 000004
【図４】
0003691815.tif 000005
【図５】
0003691815.tif 000006
【図６】
0003691815.tif 000007
【図７】
0003691815.tif 000008
【図８】
0003691815.tif 000009
【図９】
0003691815.tif 000010
【図１０】
0003691815.tif 000011